(57)【要約】【課題】通常の固体撮像装置とほぼ同一の製造プロセスにより製造可能な、複数の解像度領域を有する固体撮像装置を実現できるようにする。【解決手段】固体撮像装置は、基板１０の撮像領域１１に行列状に形成され、それぞれが光電変換素子を含む複数の画素２１と、撮像領域１１のうちの第１の領域１１Ａの上に形成され且つ複数の色領域２６を配列してなる所定の色配列を有する第１のカラーフィルタ２５Ａと、撮像領域１１のうちの第２の領域１１Ｂに形成され且つ複数の色領域２６を配列してなる所定の色配列を有する第２のカラーフィルタ２５Ｂとを備えている。第１のカラーフィルタ２５Ａの各色領域２６を透過した光がそれぞれ入射する画素２１の個数は、第２のカラーフィルタ２５Ｂの各色領域２６を透過した光がそれぞれ入射する画素２１の個数よりも多い。【選択図】図１
2007281995.tif 000002
【特許請求の範囲】
【請求項１】
基板の撮像領域に行列状に形成され、それぞれが光電変換素子を含む複数の画素と、
前記撮像領域のうちの第１の領域の上に形成され且つ複数の色領域を配列してなる所定の色配列を有する第１のカラーフィルタと、
前記撮像領域のうちの第２の領域に形成され且つ複数の色領域を配列してなる所定の色配列を有する第２のカラーフィルタとを備え、
前記第１のカラーフィルタの各色領域を透過した光がそれぞれ入射する画素の個数は、前記第２のカラーフィルタの各色領域を透過した光がそれぞれ入射する画素の個数よりも多いことを特徴とする固体撮像装置。
【請求項２】
前記複数の画素を行単位で順次選択する垂直シフトレジスタと、
前記垂直シフトレジスタが選択した各画素の信号電荷を順次出力する信号出力部とをさらに備え、
前記第１のカラーフィルタの各色領域を透過した光は、互いに隣接して形成された２以上の画素にそれぞれ入射し、
前記信号出力部は、前記２以上の画素ごとに前記信号電荷をまとめて出力することを特徴とする請求項１に記載の固体撮像装置。
【請求項３】
それぞれが、前記２以上の画素と電気的に接続され且つ前記２以上の画素の信号電荷をまとめて蓄積する複数のフローティングディフュージョン部をさらに備えていることを特徴とする請求項２に記載の固体撮像装置。
【請求項４】
前記信号出力部は、
前記第１の部分に形成された各画素の信号電荷を出力する第１の出力部と、
前記第２の部分に形成された各画素の信号電荷を出力する第２の出力部とを含むことを特徴とする請求項２又は３に記載の固体撮像装置。
【請求項５】
前記第１の出力部は、前記第１の部分に形成された画素を列単位で選択する第１の水平シフトレジスタを有し、
前記第２の出力部は、前記第２の部分に形成された画素を列単位で選択する第２の水平シフトレジスタを有し、
前記第１の水平シフトレジスタと前記第２の水平シフトレジスタとは、互いに異なるクロック信号により駆動されることを特徴とする請求項４に記載の固体撮像装置。
【請求項６】
前記第１の出力部は、前記第１の部分に形成された各画素の信号電荷を蓄積する時間を制御する第１の電子シャッタ回路を有し、
前記第２の出力部は、前記第２の部分に形成された各画素の信号電荷を蓄積する時間を制御する第２の電子シャッタ回路を有し、
前記第２の電子シャッタ回路と前記第２の電子シャッタ回路とは、前記信号電荷を蓄積する時間が互いに異なっていることを特徴とする請求項４又は５に記載の固体撮像装置。
【請求項７】
前記複数の画素を行単位で順次選択する垂直シフトレジスタと、
前記複数の画素を列単位で順次選択する水平シフトレジスタとをさらに備え、
前記垂直シフトレジスタ及び水平シフトレジスタは、それぞれ複数段からなり且つ複数段のうちの一部を選択的に駆動可能に構成されており、
前記複数の画素のうち前記垂直シフトレジスタ及び水平シフトレジスタによって選択された画素の信号電荷のみを出力することを特徴とする請求項１に記載の固体撮像装置。
【請求項８】
前記所定の色配列は原色ベイヤ配列であることを特徴とする請求項１から７のいずれか１項に記載の固体撮像装置。
【発明の詳細な説明】
【技術分野】
【０００１】
本発明は、固体撮像装置に関し、特に複数の解像度領域を備えた固体撮像装置に関する。
【背景技術】
【０００２】
カメラを用いて車両前方を監視し、前方の車両及び障害物等による危険を事前に警告する車両前方監視センサが車両事故防止のために注目されている。車両前方監視センサにおいて監視をすべき領域は、車両の速度及び方向等の車両自身の状態並びに道路の混雑状況及び天候等の車両のおかれている状態等によって大きく変化する。
【０００３】
このような、要求に応えるため、例えば、遠方を監視する望遠カメラと広い範囲を監視する広角カメラとを用いる手法又は超高解像度カメラを用いて遠方と近傍とを同時に監視する手法が用いられている。しかし、カメラを２台用意する場合には、コストがかかると共に小型化が困難である。また、超高解像度カメラを用いる場合には、カメラのコストがかかると共に、すべての領域を超高解像度で撮影することになるため高速な画像処理が困難になるという問題がある。
【０００４】
このため、画像処理に負担をかけることなく、１台のカメラによって遠方と近傍との両方を監視するために、固体撮像装置を２つの領域に分割し、画素が高密度に配置された高解像度領域と比較的疎に配置された低解像度領域とを設ける方法が開示されている（例えば、特許文献１を参照。）。この方法によれば、高解像度領域において遠方の小さな対象物について高精度に画像処理し、低解像度領域において近傍の比較的大きな対象物について高速に画像処理することが可能となる。
【特許文献１】特開平１０−７５３９７号公報
【発明の開示】
【発明が解決しようとする課題】
【０００５】
しかしながら、前記従来の固体撮像装置は、基板における光電変換素子の形成密度を変化させる必要があり、一般的な固体撮像装置と比べて、複雑なマスクを使用するプロセスにより製造しなければならないという問題がある。このため、固体撮像装置の設計及び製造が困難であり、固体撮像装置の製造コストが増大してしまう。
【０００６】
本発明は、前記従来の問題を解決し、通常の固体撮像装置とほぼ同一の製造プロセスにより製造可能な、複数の解像度領域を有する固体撮像装置を実現できるようにすることを目的とする。
【課題を解決するための手段】
【０００７】
前記の目的を達成するため、本発明は固体撮像装置を、各色領域と対応する画素の個数が互いに異なる複数のカラーフィルタを備えた構成とする。
【０００８】
本発明に係る固体撮像装置は、基板の撮像領域に行列状に形成され、それぞれが光電変換素子を含む複数の画素と、撮像領域のうちの第１の領域の上に形成され且つ複数の色領域を配列してなる所定の色配列を有する第１のカラーフィルタと、撮像領域のうちの第２の領域に形成され且つ複数の色領域を配列してなる所定の色配列を有する第２のカラーフィルタとを備え、第１のカラーフィルタの各色領域を透過した光がそれぞれ入射する画素の個数は、第２のカラーフィルタの各色領域を透過した光がそれぞれ入射する画素の個数よりも多いことを特徴とする。
【０００９】
本発明に係る固体撮像装置によれば、第１のカラーフィルタの各色領域を透過した光がそれぞれ入射する画素の個数は、第２のカラーフィルタの各色領域を透過した光がそれぞれ入射する画素の個数よりも多いため、各色領域ごとに複数の画素の信号ををまとめて扱うことにより、各カラーフィルタに覆われた部分ごとに解像度を変化させることができる。また、光電変換素子の構成及び配置を変更することなく、色領域のサイズの変更のみによって、解像度を変化させることができるので、通常の１つの解像度のみを有する固体撮像装置とほぼ同一のプロセスにより固体撮像装置を製造することが可能である。
【００１０】
本発明に係る固体撮像装置は、複数の画素を行単位で順次選択する垂直シフトレジスタと、垂直シフトレジスタが選択した各画素の信号電荷を順次出力する信号出力部とをさらに備え、第１のカラーフィルタの各色領域を透過した光は、互いに隣接して形成された２以上の画素にそれぞれ入射し、信号出力部は、２以上の画素ごとに信号電荷をまとめて出力することが好ましい。このような構成とすることにより、低解像度領域における画像信号の読み出しを高速に行うことができる。これにより、画像処理の負担を低減され、高速な画像処理が可能となる。
【００１１】
この場合において固体撮像装置は、それぞれが、２以上の画素と電気的に接続され且つ２以上の画素の信号電荷をまとめて蓄積する複数のフローティングディフュージョン部をさらに備えていることが好ましい。このような構成とすることにより、一のカラーフィルタに覆われた２以上の画素を擬似的に１つの画素として取り扱うことが可能となり、出力部の構成を簡略化することができる。また、さらに高速な駆動が可能となる。
【００１２】
本発明に係る固体撮像装置において、信号出力部は、第１の部分に形成された各画素の信号電荷を出力する第１の出力部と、第２の部分に形成された各画素の信号電荷を出力する第２の出力部とを含むことが好ましい。このような構成とすることにより、解像度が異なる複数の解像度領域を同時に読み出すことができるため、高速に処理することが可能となる。
【００１３】
この場合において、第１の出力部は、第１の部分に形成された画素を列単位で選択する第１の水平シフトレジスタを有し、第２の出力部は、第２の部分に形成された画素を列単位で選択する第２の水平シフトレジスタを有し、第１の水平シフトレジスタと第２の水平シフトレジスタとは、互いに異なるクロック信号により駆動されることが好ましい。このような構成とすることにより、各解像度領域の解像度及び用途等に応じて最適な感度及び処理速度等を実現することができる。
【００１４】
また、第１の出力部は、第１の部分に形成された各画素の信号電荷を蓄積する時間を制御する第１の電子シャッタ回路を有し、第２の出力部は、第２の部分に形成された各画素の信号電荷を蓄積する時間を制御する第２の電子シャッタ回路を有し、第２の電子シャッタ回路と第２の電子シャッタ回路とは、信号電荷を蓄積する時間が互いに異なっていることが好ましい。このような構成とすることによっても、感度及び処理速度の最適化を図ることができる。
【００１５】
本発明の固体撮像装置は、複数の画素を行単位で順次選択する垂直シフトレジスタと、複数の画素を列単位で順次選択する水平シフトレジスタとをさらに備え、垂直シフトレジスタ及び水平シフトレジスタは、それぞれ複数段からなり且つ複数段のうちの一部を選択的に駆動可能に構成されており、複数の画素のうち垂直シフトレジスタ及び水平シフトレジスタによって選択された画素の信号電荷のみを出力することが好ましい。このような構成とすることにより、必要とする部分のみを高速に処理したり、ズーム機能を実現したりすることができる。
【００１６】
本発明の固体撮像装置において、所定の色配列は原色ベイヤ配列であることが好ましい。
【発明の効果】
【００１７】
本発明に係る固体撮像装置によれば、通常の固体撮像装置とほぼ同一の製造プロセスにより製造可能な、複数の解像度領域を有する固体撮像装置を実現できる。
【発明を実施するための最良の形態】
【００１８】
（第１の実施形態）
本発明の第１の実施形態について図面を参照して説明する。図１は第１の実施形態に係る固体撮像装置の回路構成の概略を示している。図１に示すように本実施形態の固体撮像装置は、画素２１が基板１０の上に行列状に配置されて撮像領域１１が形成されている。図１においては、説明を簡略化するため、画素２１がＡ行〜Ｈ行及び１列〜８列の８行８列に配列された例が示されているが、行及び列の数は任意に設定することができる。各画素２１は、例えば図２に示すように光電変換素子２２とスイッチングトランジスタ２３とにより構成すればよい。また、アンプトランジスタ、リセットトランジスタ及び選択トランジスタ等を含んでいる構成としてもよい。
【００１９】
撮像領域１１は、低解像度領域１１Ａと高解像度領域１１Ｂとの２つの領域に分割されており、各領域は第１のカラーフィルタ２５Ａ及び第２のカラーフィルタ２５Ｂにそれぞれ覆われている。第１のカラーフィルタ２５Ａ及び第２のカラーフィルタ２５Ｂはそれぞれ、赤（Ｒ）、緑（Ｇ）及び青（Ｂ）の３原色の色領域２６が複数配列されており、全体として原色ベイヤ配列を有している。本実施形態においては、低解像度領域１１Ａを覆う第１のカラーフィルタ２５Ａは、各色領域２６が互いに隣接する２行２列に配置された４つの画素２１をそれぞれ覆っており、１つの色領域２６を透過した光は４つの画素２１に入射する。従って、４画素単位でベイヤ配列が形成されている。一方、高解像度領域１１Ｂを覆う第２のカラーフィルタ２５Ｂは、各色領域２６が１つの画素２１をそれぞれ覆っており、１画素単位でベイヤ配列が形成されている。
【００２０】
撮像領域１１の周辺には、撮像領域１１の行ごとに設けられた水平選択線４１のそれぞれと接続され、画素２１を行ごとに選択する垂直シフトレジスタ３１と、列ごとに設けられた垂直信号線４２のそれぞれと接続され、選択された行の画素２１の信号を順次出力する出力部が形成されている。本実施形態の固体撮像装置は、低解像度領域１１Ａの信号を出力する第１の出力部３２Ａと高解像度領域１１Ｂの信号を出力する第２の出力部３２Ｂとの２つの出力部が設けられている。
【００２１】
第１の出力部３２Ａは、各垂直信号線４２とそれぞれ第１のスイッチトランジスタ３５Ａを介在させて接続された第１の水平出力線３６Ａと、各第１のスイッチトランジスタ３５Ａを駆動する第１の水平シフトレジスタ３３Ａと、第１の水平出力線３６Ａと接続された第１の出力アンプ３４Ａを有している。同様に、第２の出力部３２Ｂは、第２の水平シフトレジスタ３３Ｂと第２の出力アンプ３４Ｂと第２のスイッチトランジスタ３５Ｂと第２の水平出力線３６Ｂとを有している。
【００２２】
以下に、本実施形態に係る固体撮像装置の駆動例について図面を参照して説明する。図３（ａ）及び（ｂ）は第１の出力部３２Ａ及び第２の出力部３２Ｂから出力される信号の内容をそれぞれ示している。
【００２３】
図３（ａ）に示すように低解像度領域１１Ａに配置された各画素２１の信号を出力する第１の出力部３２Ａからは、水平転送クロックの１パルスごとに１つの色領域２６に覆われた４つの画素２１の信号が１つにまとめられて出力される。４つの画素２１の信号を１つにまとめて出力する方法は種々考えられるが、例えば、各垂直信号線及び水平出力線に電荷蓄積用の容量素子が設けられた回路とすればよい。
【００２４】
図４は図１のＡ行１列目の画素Ａ１〜Ｂ行２列目の画素Ｂ２までを拡大して示している。図４に示すように１列目の垂直信号線４２には容量素子５１が接続され、２列目の垂直信号線４２には容量素子５２が接続されている。また、第１の水平出力線３６Ａには容量素子５３が接続されている。
【００２５】
この場合において、垂直シフトレジスタ３１によりＡ１、Ａ２、Ｂ１及びＢ２の４つの画素を選択して画素Ａ１及び画素Ｂ１の電荷を１列目の容量素子５１に蓄積し、画素Ａ２及び画素Ｂ２の電荷を２列目の容量素子５２に蓄積する。次に、第１の水平シフトレジスタ３３Ａにより１列目の第１のスイッチトランジスタ３５Ａ及び２列目の第１のスイッチトランジスタ３５Ａをオン状態とすることにより１列目の容量素子５１に蓄積された電荷及び２列目の容量素子５２に蓄積された電荷を容量素子５３に蓄積した後、第１の出力アンプ３４Ａを通して出力する。これにより、画素Ａ１〜画素Ｂ２までの２行２列の４つの画素の信号を１つにまとめて出力することができる。
【００２６】
一方、図３（ｂ）に示すように高解像度領域１１Ｂにおいては、各画素２１の信号を１行ごとに読み出して通常通り順次出力される。
【００２７】
従って、低解像度領域１１Ａにおける解像度は、高解像度領域１１Ｂの解像度の４分の１となる。しかし、１つの水平転送パルスにより４つの画素２１の信号を読み出すことになるため、読み出し速度は４倍となる。また、４つの画素２１の信号が合算されるため、感度も４倍となる。
【００２８】
図３においては第１の水平シフトレジスタ３３Ａ及び第２の水平シフトレジスタ３３Ｂが、同一の水平転送クロックにより駆動されていたが、図５（ａ）及び（ｂ）に示すように、第１の水平シフトレジスタ３３Ａ及び第２の水平シフトレジスタ３３Ｂを互いに異なる水平転送クロックにより駆動してもよい。図５（ａ）及び（ｂ）に示すように第１の水平シフトレジスタ３３Ａの水平転送クロックの周波数を、第２の水平シフトレジスタ３３Ｂの水平転送クロックの周波数の２分の１とすることにより、低解像度領域１１Ａの読み出し速度は、高解像度領域１１Ｂの読み出し速度の２倍となる。しかし低解像度領域１１Ａにおける感度を高解像度領域１１Ｂにおける感度の８倍とすることができる。
【００２９】
また、逆に第１の水平シフトレジスタ３３Ａの水平転送クロックの周波数を第２の水平シフトレジスタ３３Ｂの水平転送クロックの周波数の２倍とすれば、低解像度領域１１Ａにおける感度は高解像度領域１１Ｂにおける感度の２倍となるが、フレームの読み出し速度を８倍にすることができる。
【００３０】
本実施形態の固体撮像装置を車両前方監視装置に用いて、低解像度領域１１Ａを用いて近傍を監視し、高解像度領域１１Ｂを用いて遠方を監視すれば、近傍の大きな対象物の監視は、比較的低解像度で行い、遠方の小さな対象物の監視は高解像度で行うことができる。このため、遠方の監視性能を損なうことなく、画像処理の負担を低減することが可能となる。
【００３１】
また、水平転送クロックの周波数を変更するだけで、感度と読み出し速度とを調整することができ、夜間等の高感度が必要な場合にも容易に対応することができる。さらに、解像度の設定は、色領域２６のサイズによって行うことができるので、基板１０に形成する光電変換素子２２のサイズを変更する必要がない。従って、通常の固体撮像装置とほぼ同じプロセスにより製造することが可能である。また、低解像度領域１１Ａと高解像度領域１１Ｂの割り振りも自由に行うことができる。
【００３２】
なお、本実施形態の固体撮像装置は、出力部を２つ設け、低解像度領域１１Ａと高解像度領域１１Ｂとを別々に読み出せるようにしたが、出力部を共通としてもよい。この場合には、固体撮像装置の出力を画像処理する際に低解像度領域１１Ａと高解像度領域１１Ｂとを切り分ければよい。また、垂直シフトレジスタ３１を共通としたが、低解像度領域１１Ａ用と高解像度領域１１Ｂ用の２つの垂直シフトレジスタ３１を設けてもよい。
【００３３】
また、低解像度領域１１Ａにおいて、１つの色領域２６が２行２列に配置された４つの画素２１を覆うようにしたが、ｎ行ｍ列のｎ×ｍ個（但し、ｎ及びｍは２以上の整数である。）の画素を覆うようにしてもよい。また、高解像度領域１１Ｂにおいて１つの色領域２６が覆う画素２１の数は１つに限らず、低解像度領域１１Ａにおいて１つの色領域２６が覆う画素２１の数よりも少なければよい。
【００３４】
図１においては低解像度領域１１Ａと高解像度領域１１Ｂが同数の画素２１をそれぞれ含んでいる構成が示されているが、低解像度領域１１Ａと高解像度領域１１Ｂとに含まれる画素２１の数はそれぞれ必要に応じて任意に変更してよい。また、解像度が異なる領域を３つ以上設けてもよい。さらに、本実施形態においては、低解像度領域１１Ａと高解像度領域１１Ｂとを水平方向に分割したが、垂直方向に分割することも可能である。
【００３５】
（第１の実施形態の第１変形例）
以下に、本発明の第１の実施形態の第１変形例について図面を参照して説明する。図６は第１の実施形態の第１変形例に係る固体撮像装置の要部における回路構成の概略を示している。本変形例の固体撮像装置の基本的な構成は第１の実施形態の固体装置と同じである。しかし、図６に示すように本変形例の固体撮像装置は、低解像度領域１１Ａにおいて隣接する２行２列に配置され、１つの色領域２６に覆われた４つの画素２１の出力が、１つのフローティングディフュージョン（ＦＤ）部２７と接続されている。
【００３６】
本変形例の固体撮像装置によれば、１つの色領域２６に覆われた４つの画素２１の信号がＦＤ部２７に一旦蓄積された後、垂直信号線４２に出力される。従ってＦＤ部２７に接続された４つの画素２１を擬似的１つの画素として扱うことができるため、第１の出力部３２Ａの構成を簡略化することができる。なお、本変形例の固体撮像装置の低解像度領域１１Ａにおいては、垂直信号線４２を１列おきに設け、水平選択線４１を１行おきに設ければよい。
【００３７】
（第１の実施形態の第２の変形例）
以下に、本発明の第１の実施形態の第２変形例について図面を参照して説明する。本変形例に係る固体撮像装置は、垂直ライン（行）ごとにリセットパルス（電子シャッタパルス）が印加されてから読み出しパルスが印加されるまでの期間に電荷を蓄積して、蓄積した電荷を出力するローリングシャッタ機能を有している。また、低解像度領域１１Ａと高解像度領域１１Ｂとは、互いに異なるタイミングパルスによって駆動される。
【００３８】
図７（ａ）及び（ｂ）は本変形例に係る固体撮像装置に与えるリセットパルスと読み出しパルスのタイミングの一例であり、（ａ）は低解像度領域１１Ａに与えるリセットパルス及び読み出しパルスを示し、（ｂ）は高解像度領域１１Ｂに与えるリセットパルス及び読み出しパルスを示している。
【００３９】
図８（ａ）に一例を示すように低解像度領域１１Ａにおいては、リセットパルスが印加されてから２．５フレームの期間の電荷を蓄積する。一方、図８（ｂ）に示すように高解像度領域１１Ｂにおいては、リセットパルスが印加されてから読み出しパルスが印加されるまでの電荷蓄積時間は０．５フレームとなっている。これにより、低解像度領域１１Ａにおける電荷蓄積時間は、高解像度領域１１Ｂの電荷蓄積時間の５倍となるため、低解像度領域１１Ａの感度は、高解像度領域１１Ｂの感度の２０倍とすることができる。
【００４０】
（第２の実施形態）
以下に、本発明の第２の実施形態について図面を参照して説明する。図８は第２の実施形態に係る固体撮像装置の回路構成の概略を示している。図８に示すように本実施形態の固体撮像装置は、垂直シフトレジスタ３１及び第２の水平シフトレジスタ３３Ｂの一部のみを駆動することができる。
【００４１】
例えば、垂直シフトレジスタ３１はＦ行及びＧ行のみを駆動し、第２の水平シフトレジスタ３３Ｂは６列及び７列のみを駆動する。これにより、高解像度領域１１Ｂの画素のうち、Ｆ行６列からＧ行７列の４つの画素のみを選択的に出力することができる。
【００４２】
車両の走行速度及び周囲の状況等によっては、高解像度領域１１Ｂのすべての情報を必要としない場合がある。本実施形態の固体撮像装置は、このような場合に、高解像度領域１１Ｂのうちの必要とする部分の信号のみを出力することができる。これにより、画像処理の負担を低減することができる。また、必要な部分だけを抽出するズーム機能として用いることもできる。
【００４３】
垂直シフトレジスタ３１及び第２の水平シフトレジスタ３３Ｂの一部のみを駆動する方法としては、例えば、垂直シフトレジスタ３１及び第２の水平シフトレジスタをそれぞれ複数のシフトレジスタユニットが直列に接続して構成し、所定のシフトレジスタユニットのみを動作させればよい。
【００４４】
本実施形態においては、高解像度領１１Ｂについて画素を選択する例を示したが低解像度領域１１Ａについても一部の画素を選択できる構成としてもよい。
【産業上の利用可能性】
【００４５】
本発明に係る固体撮像装置は、通常の固体撮像装置とほぼ同一の製造プロセスにより製造可能な、複数の解像度領域を有する固体撮像装置を実現でき、複数の解像度領域を備えた固体撮像装置、特に車両前方監視用の固体撮像装置等として有用である。
【図面の簡単な説明】
【００４６】
【図１】本発明の第１の実施形態に係る固体撮像装置の回路構成を示すレイアウト図である。
【図２】本発明の第１の実施形態に係る固体撮像装置の画素の回路構成を示す回路図である。
【図３】本発明の第１の実施形態に係る固体撮像装置の駆動例を示すタイミング図である。
【図４】本発明の第１の実施形態に係る固体撮像装置の回路構成の一部を拡大して示す回路図である。
【図５】本発明の第１の実施形態に係る固体撮像装置の他の駆動例を示すタイミング図である。
【図６】本発明の第１の実施形態の第１変形例に係る固体撮像装置の要部を示す回路図である。
【図７】本発明の第１の実施形態の第２変形例に係る固体撮像装置の駆動例を示すタイミング図である。
【図８】本発明の第２の実施形態に係る固体撮像装置の回路構成を示すレイアウト図である。
【符号の説明】
【００４７】
１０    基板
１１    撮像領域
１１Ａ  低解像度領域
１１Ｂ  高解像度領域
２１    画素
２２    光電変換素子
２３    スイッチングトランジスタ
２５Ａ  第１のカラーフィルタ
２５Ｂ  第２のカラーフィルタ
２６    色領域
２７    フローティングディフュージョン部
３１    垂直シフトレジスタ
３２Ａ  第１の出力部
３２Ｂ  第２の出力部
３３Ａ  第１の水平シフトレジスタ
３３Ｂ  第２の水平シフトレジスタ
３４Ａ  第１の出力アンプ
３４Ｂ  第２の出力アンプ
３５Ａ  第１のスイッチングトランジスタ
３５Ｂ  第２のスイッチングトランジスタ
３６Ａ  第１の水平出力線
３６Ｂ  第２の水平出力線
４１    水平選択線
４２    垂直信号線
５１    容量素子
５２    容量素子
５３    容量素子
【図１】
2007281995.tif 000003
【図２】
2007281995.tif 000004
【図３】
2007281995.tif 000005
【図４】
2007281995.tif 000006
【図５】
2007281995.tif 000007
【図６】
2007281995.tif 000008
【図７】
2007281995.tif 000009
【図８】
2007281995.tif 000010